【手続補正書】
【提出日】平成18年12月22日(2006.12.22)
【手続補正１】
【補正対象書類名】明細書
【補正対象項目名】特許請求の範囲
【補正方法】変更
【補正の内容】
【特許請求の範囲】
【請求項１】  遊び構造体の斜め玩具部品であって、上側部、下側部、互いに間隔を置いた外端部をそれぞれ備える２つの外側縁部、及び外側縁部の外端部を互いに接合する斜め縁部を有する全体として平らな部材から成り、下側部は、斜め縁部から間隔を置いていて、遊び構造体の下に位置する支持構造部材に着脱自在に取付け可能な嵌合取付け部を有し、斜め縁部は、これと関連して設けられていて、相補形状の斜め玩具部品に設けられたコネクタに着脱自在に連結可能な協働関係をなすコネクタを有し、嵌合取付け部は、斜め玩具部品が相補形状の斜め玩具部品に着脱自在に連結されているとき、下に位置する支持構造部材に対し取外しできるように着脱可能となっていることを特徴とする斜め玩具部品。
【請求項２】  第１及び第２の外側縁部は、これらの外端部に向かって互いに末広がりになっていることを特徴とする請求項１記載の斜め玩具部品。
【請求項３】  外側縁部は、互いにそれぞれの内端部のところで交わり、玩具部品は形状が全体として３角形であることを特徴とする請求項２記載の斜め玩具部品。
【請求項４】  全体として平らな部材の下側部に設けられた少なくとも１つの嵌合取付け部は、外側縁部の内端部の相互接合部のところに位置していることを特徴とする請求項３記載の斜め玩具部品。
【請求項５】  全体として平らな部材の下側部に設けられた別の嵌合取付け部を有し、前記別の嵌合取付け部は、下に位置する支持構造部材に着脱自在に取付け可能であって、外側縁部のうちの一方の外端部と斜め縁部の接合部のところに位置していることを特徴とする請求項４記載の斜め玩具部品。
【請求項６】  全体として平らな部材の下側部に設けられた別の嵌合取付け部を有し、前記列の嵌合取付け部は、遊び構造体の下に位置する支持構造部材に着脱自在に取付け可能であって、斜め縁部と関連したコネクタに隣接して位置していることを特徴とする請求項１記載の斜め玩具部品。
【請求項７】  斜め縁部と関連した２つのコネクタを有し、各コネクタは、相補形状の斜め玩具部品に設けられた協働するそれぞれのコネクタに着脱自在に連結可能であり、２つのコネクタは、斜め縁部の各端部のところに１つずつ設けられていることを特徴とする請求項１記載の斜め玩具部品。
【請求項８】  全体として平らな部材の下側部に設けられた別の嵌合取付け部を有し、前記列の嵌合取付け部は、遊び構造体の下に位置する支持構造部材に着脱自在に取付け可能であり、前記コネクタのうちの１つに隣接して外側縁部のうちの一方の外端部と斜め縁部との接合部のところに位置していることを特徴とする請求項７記載の斜め玩具部品。
【請求項９】  斜め縁部と関連したコネクタは、フック及び受け具のうちの一方であり、これは、相補形状の斜め玩具部品に設けられたフック及び受け具のうちの他方と連結自在に係合することを特徴とする請求項１記載の斜め玩具部品。
【請求項１０】  斜め縁部と関連した２つのコネクタを有し、各コネクタは、相補形状の斜め玩具部品に設けられた協働する２つのコネクタにそれぞれ着脱自在に連結可能であり、コネクタは、斜め縁部の互いに反対側の端部のところに設けられており、コネクタのうちの一方はフックであってコネクタのうち他方はソケットであり、それぞれ、相補形状の斜め玩具部品の協働する受け具及びフックコネクタにそれぞれ連結自在に係合するようになっていることを特徴とする請求項９記載の斜め玩具部品。
【請求項１１】  全体として斜めの部材の下側部に設けられた別の嵌合取付け部を有し、前記別の嵌合取付け部は、遊び構造体の下に位置する支持構造部材に着脱自在に取付け可能であり、斜め縁部の受け具コネクタに隣接して位置していることを特徴とする請求項１０記載の斜め玩具部品。
【請求項１２】  全体として平らな部材の形状は、ほぼ正多角形のグリッド要素であり、第１及び第２の外側縁部は、グリッド要素の２つのそれぞれの末広がり側部と一致しており、斜め縁部は、グリッド要素を横切って延びていることを特徴とする請求項１記載の斜め玩具部品。
【請求項１３】  全体として平らな部材の形状のもとになるグリッド要素は、ほぼポリオミノであることを特徴とする請求項１２記載の斜め玩具部品。
【請求項１４】  グリッド要素は、正方形であることを特徴とする請求項１３記載の斜め玩具部品。
【請求項１５】  遊び構造体の複合玩具部品であって、第１の斜め玩具部品及びこれと相補する第２の斜め玩具部品を有し、第１の斜め玩具部品は、上側部及び下側部を備えた第１の全体として平らな部材を有し、第１の平らな部材の下側部は、遊び構造体の下に位置する支持構造部材に着脱自在に取付け可能な嵌合取付け部を有し、第２の斜め玩具部品は、上側部及び下側部を備えた第２の全体として平らな部材を有し、第２の平らな部材の下側部は、遊び構造体の下に位置する支持構造部材に着脱自在に取付け可能な嵌合取付け部を有し、第１及び第２の平らな部材は、複合玩具部品を形成するよう互いに当接可能なそれぞれの第１及び第２の互いに相補する斜め縁部を有し、前記複合玩具部品は、各斜め玩具部品の斜め縁部に設けられた少なくとも１つのコネクタを更に有し、第１及び第２の斜め玩具部品に設けられたそれぞれのコネクタは、第１及び第２の玩具部品の当接縁部を互いに当接させた状態で第１及び第２の玩具部品を互いに解除自在に連結するよう協働し、嵌合取付け部は、第１の斜め玩具部品が第２の相補形状の斜め玩具部品に着脱自在に連結されているとき、下に位置する支持構造部材に対し取外しできるように着脱可能となっていることを特徴とする複合玩具部品。
【請求項１６】  第１の斜め玩具部品の上側部とこれと相補する第２の斜め玩具部品の上側部は、互いに異なる表面形態を有していることを特徴とする請求項１５記載の複合玩具部品。
【請求項１７】  各斜め玩具部品は、２つの外側縁部を有し、前記外側縁部は、それぞれの外端部に向かって互いに末広がりになっており、各斜め玩具部品の斜め縁部は、外側縁部の外端部を互いに接合していることを特徴とする請求項１５記載の複合玩具部品。
【請求項１８】  各斜め玩具部品の外側縁部は、それぞれの内端部のところで互いに交わっており、各斜め玩具部品は形状が全体として３角形であり、斜め玩具部品は、同一寸法のものであり、複合玩具部品は正方形であることを特徴とする請求項１７記載の複合玩具部品。
【請求項１９】  各斜め玩具部品の下側部の嵌合取付け部は、第１及び第２の外側縁部の内端部の相互接合部のところに位置していることを特徴とする請求項１８記載の複合玩具部品。
【請求項２０】  各斜め玩具部品の下側部に設けられた別の嵌合取付け部を有し、前記別の嵌合取付け部は各々、下に位置する支持構造部材に解除自在に取付け可能であって、それぞれの斜め玩具部品の外側縁部のうちの一方の外端部と斜め縁部との接合部のところに位置し、一方の斜め玩具部品の前記別の嵌合取付け部は、他方の斜め玩具部品の前記別の嵌合取付け部に対して当接状態の斜め縁部の反対側の端部のところに位置していることを特徴とする請求項１５記載の複合玩具部品。
【請求項２１】  各斜め玩具部品は、その斜め縁部と関連して、斜め縁部の各側に１つずつ２つのコネクタを有し、一方の斜め玩具部品のコネクタは、他方の斜め玩具部品のコネクタに解除自在に連結可能であることを特徴とする請求項１５記載の複合玩具部品。
【請求項２２】  斜め縁部に設けられた互いに係合するコネクタのそれぞれの対は、斜め玩具部品の一方に設けられたフックと、他方の斜め玩具部品に設けられた受け具とから成り、フックと受け具は、２つの斜め玩具部品を互いに連結するよう互いに係合可能であることを特徴とする請求項２１記載の複合玩具部品。
【請求項２３】  各斜め玩具部品の斜め縁部のコネクタは、斜め縁部の一端部のところに設けられたフックコネクタと、斜め縁部の他端部のところに設けられた受け具コネクタとから成ることを特徴とする請求項２２記載の複合玩具部品。
【請求項２４】  各斜め玩具部品の形状は、ほぼ正多角形のグリッド要素であり、各斜め玩具部品の第１及び第２の外側縁部は、グリッド要素のそれぞれの末広がり側部と一致し、各斜め玩具部品の斜め縁部は、グリッド要素を横切って延び、複合玩具部品を形成するよう連結されると、２つの斜め玩具部品は一緒になって、完全なグリッド要素と一致することを特徴とする請求項１５記載の複合玩具部品。
【請求項２５】  グリッド要素は、ポリオミノであることを特徴とする請求項２４記載の複合玩具部品。
【請求項２６】  グリッド要素は、正方形であることを特徴とする請求項２４記載の複合玩具部品。
【請求項２７】  遊び構造体の斜め玩具部品であって、上側部及び下側部を備えた全体として平らな部材から成り、前記平らな部材は、２つの直交する外側縁部を備えた形状が全体として３角形をしており、前記外側縁部は、それぞれの内端部のところで交わる実質的に同じ長さのものであって、互いに間隔を置いた外端部をそれぞれ備え、前記平らな部材は、外側縁部の外端部を互いに接合する斜め縁部を更に備え、下側部は、遊び構造体の下に位置する支持構造部材に着脱自在に取付け可能な２つの嵌合取付け部を有し、嵌合取付け部のうち一方は、外側縁部の内端部の相互接合部のところに位置し、他方の嵌合取付け部は、外側縁部のうちの一方と斜め縁部との接合部のところに位置し、斜め縁部は、これと関連した２つのコネクタを有し、コネクタのうち一方は、外側縁部のうちの前記一方と斜め縁部との接合部のところに嵌合取付け部に隣接して配置された受け具コネクタであり、他方のコネクタは、斜め縁部の他端部のところに設けられたフックコネクタであり、受け具コネクタとフックコネクタは、相補形状の斜め玩具部品に設けられた嵌合関係をなすフックコネクタ及び受け具コネクタに解除自在に連結可能であり、嵌合取付け部は、斜め玩具部品が相補形状の斜め玩具部品に着脱自在に連結されているとき、下に位置する支持構造部材に対し取外しできるように着脱可能となっていることを特徴とする斜め玩具部品。
【請求項２８】  斜め縁部を互いに当接させると共にフックコネクタと受け具コネクタを互いに係合させた状態で互いに連結された請求項２７記載の２つの斜め玩具部品から成る複合玩具部品であって、斜め玩具部品のうちの一方は、その上側部に、他方の斜め玩具部品の上側部の表面の形状とは異なる形状の表面の有していることを特徴とする複合玩具部品。
【請求項２９】  遊び構造体であって、支持構造部材と、複数の全体として平らな玩具部品とから成り、各玩具部品は、上側部、下側部及び各玩具部品の下側部に設けられていて、支持構造部材に取り付けられる少なくとも１つの嵌合取付け部を有し、玩具部品のうち少なくとも１つは、複合玩具部品であり、玩具部品のうちの少なくとも１つは、複合玩具部品であり、前記複合玩具部品は、第１の斜め玩具部品及びこれと相補する第２の斜め玩具部品を有し、第１の斜め玩具部品は、上側部及び下側部を備えた第１の全体として平らな部材を有し、第１の平らな部材の下側部は、遊び構造体の下に位置する支持構造部材に着脱自在に取付け可能な嵌合取付け部を有し、第２の斜め玩具部品は、上側部及び下側部を備えた第２の全体として平らな部材を有し、第２の平らな部材の下側部は、遊び構造体の下に位置する支持構造部材に着脱自在に取付け可能な嵌合取付け部を有し、第１及び第２の平らな部材は、複合玩具部品を形成するよう互いに当接可能なそれぞれの第１及び第２の互いに相補する斜め縁部を有し、前記複合玩具部品は、各斜め玩具部品の斜め縁部に設けられた少なくとも１つのコネクタを更に有し、第１及び第２の斜め玩具部品に設けられたそれぞれのコネクタは、第１及び第２の玩具部品の当接縁部を互いに当接させた状態で第１及び第２の玩具部品を互いに解除自在に連結するよう協働することを特徴とする遊び構造体。
【請求項３０】  全体として平らな玩具部品は、形状が多角形であって、各々、正多角形のグリッドの多角形グリッド要素と形状が一致しており、各斜め玩具部品の外側縁部は、正多角形グリッドの各多角形グリッド要素の側部と一致し、各斜め玩具部品の斜め縁部は、各多角形グリッド要素を横切って延びていることを特徴とする請求項に２９記載の遊び構造体。
【請求項３１】  支持構造部材は、正多角形グリッドの取付け用こぶ状部と一致するよう配置された複数の取付け用こぶ状部を有し、各取付け用こぶ状部は、玩具部品の下側部に設けられた嵌合取付け部に取り付けられる少なくとも１つの対応関係をなす嵌合取付け部を有していることを特徴とする請求項３０記載の遊び構造体。
【請求項３２】  正多角形グリッドのグリッド要素は、ポリオミノであることを特徴とする請求項３１記載の遊び構造体。
【請求項３３】  グリッド要素は、正方形であることを特徴とする請求項３２記載の遊び構造体。